(57)【要約】【課題】本発明の課題は、圧縮機の運転容量を極力保ち、運転効率が著しく低下することを防ぐことができる空気調和装置を提供することにある。【解決手段】本発明の空気調和装置は、熱源ユニットと膨張機構と利用ユニットと電磁誘導加熱ユニットと制御部とを備える。熱源ユニットは、圧縮機構と熱源側熱交換器と熱源側熱交換器の熱交換効率を促進する熱源側送風機とを有する。利用ユニットは、利用側熱交換器を有する。電磁誘導加熱ユニットは、膨張機構と圧縮機との間の少なくとも１カ所における冷媒配管および／または冷媒配管中を、流れる冷媒と熱的接触をする部材を加熱する。制御部は、圧縮機構にかかる第１電流値、あるいは、第１電流値に熱源側送風機にかかる第２電流値および／または利用ユニットにかかる第３電流値を加えて導出した総合電流値の大きさに応じて、電磁誘導加熱ユニットにかかる第４電流値の上限を変更する。【選択図】図１
2010223454.tif 000002
【特許請求の範囲】
【請求項１】
圧縮機構（２１）と熱源側熱交換器（２３）と前記熱源側熱交換器の熱交換効率を促進する熱源側送風機（２６）とを有する熱源ユニット（２）と、
膨張機構（２４）と、
利用側熱交換器（４１）を有する利用ユニット（４）と、
前記膨張機構と前記圧縮機との間の少なくとも１カ所における冷媒配管（１０ｆ）および／または前記冷媒配管中を流れる冷媒と熱的接触をする部材を加熱する電磁誘導加熱ユニット（６）と、
前記圧縮機構にかかる第１電流値、あるいは、前記熱源側送風機にかかる第２電流値および／または前記利用ユニットにかかる第３電流値を前記第１電流値に加えて導出した総合電流値の大きさに応じて、前記電磁誘導加熱ユニットにかかる第４電流値の上限を変更する制御部（１１）と、
を備える空気調和装置（１）。
【請求項２】
前記第４電流値の上限は、前記総合電流値と前記第４電流値の上限との合計値が、所定値未満になるように決定される、
請求項１に記載の空気調和装置（１）。
【請求項３】
前記制御部は、少なくとも実測された前記第１電流値に基づいて、前記総合電流値を導出する、
請求項１または２に記載の空気調和装置（１）。
【請求項４】
前記制御部は、少なくとも実測された前記第２電流値に基づいて、前記総合電流値を導出する、
請求項１から３のいずれかに記載の空気調和装置（１）。
【請求項５】
前記利用ユニットは、複数台あり、
前記制御部は、前記利用ユニット１台あたりの電流値と前記利用ユニットの台数とに基づいて、前記第３電流値を導出する、
請求項１から４のいずれかに記載の空気調和装置。
【請求項６】
前記熱源ユニットは、前記熱源側熱交換器を前記圧縮機において圧縮される冷媒の凝縮器として、かつ、前記利用側熱交換器を前記熱源側熱交換器において凝縮される冷媒の蒸発器として機能させる冷房運転状態と、前記利用側熱交換器を前記圧縮機において圧縮される冷媒の凝縮器として、かつ、前記熱源側熱交換器を前記熱源側熱交換器において凝縮される冷媒の蒸発器として機能させる暖房運転状態とに、切り換えることができる切換機構（２２）をさらに有し、
前記電磁誘導加熱ユニットは、前記切換機構が前記暖房運転状態の場合に、動作する、
請求項１から５のいずれかに記載の空気調和装置（１）。
【請求項７】
前記電磁誘導加熱ユニットは、前記熱源側熱交換器に霜付が発生した場合に行われる、前記霜付を除去するデフロスト運転中に、動作し、
前記熱源側送風機は、前記デフロスト運転中に停止し、
前記制御部は、前記デフロスト運転中に、少なくとも前記第１電流値を含み、かつ、前記第２電流値を除外して導出されるデフロスト総合電流値を、前記総合電流値として導出する、
請求項１から６のいずれかに記載の空気調和装置（１）。
【請求項８】
前記制御部は、前記暖房運転状態において、前記総合電流値と前記電磁誘導加熱ユニットの電流値の出力上限とを関連づけた第１マップに基づいて、前記電磁誘導加熱ユニットの電流値の出力上限を変更し、前記デフロスト運転中において、前記第１総合電流値と前記加熱手段の出力上限とを関連づけた第２マップに基づいて、前記電磁誘導加熱ユニットの電流値の出力上限を変更する、
請求項７に記載の空気調和装置（１）。
【発明の詳細な説明】
【技術分野】
【０００１】
本発明は、冷媒回路内に加熱手段を有する空気調和装置に関する。
【背景技術】
【０００２】
従来、冷媒回路内に加熱手段を有し、暖房運転サイクルにおいて加熱手段が冷媒を加熱することにより暖房能力を補助する空気調和装置がある（特許文献１：特開２０００−９７５１０号公報参照）。特許文献１（特開２０００−９７５１０号公報）の空気調和装置では、冷媒の圧力に応じて加熱量の調整を行っており、圧力の過上昇を防いでいる。
【０００３】
また、このような空気調和装置では、空気調和装置全体に係る電流値が所定値を超えないように、電流値の制限を行っている。そして、この制限は、圧縮機に多くの電流が流れているため、圧縮機の容量制御をインバータにより行っている空気調和装置において、圧縮機の運転容量を落とすことにより行われている。
【発明の概要】
【発明が解決しようとする課題】
【０００４】
しかしながら、加熱手段が作動している場合に、単純に圧縮機の運転容量を落としてしまうと、運転効率が悪くなってしまう。
【０００５】
本発明の課題は、圧縮機の運転容量を極力保ち、運転効率が著しく低下することを防ぐことができる空気調和装置を提供することにある。
【課題を解決するための手段】
【０００６】
第１発明に係る空気調和装置は、熱源ユニットと、膨張機構と、利用ユニットと、電磁誘導加熱ユニットと、制御部とを備える。熱源ユニットは、圧縮機構と、熱源側熱交換器と、熱源側熱交換器の熱交換効率を促進する熱源側送風機と、を有する。利用ユニットは、利用側熱交換器を有する。電磁誘導加熱ユニットは、膨張機構と圧縮機との間の少なくとも１カ所における冷媒配管および／または冷媒配管中を、流れる冷媒と熱的接触をする部材を加熱する。制御部は、圧縮機構にかかる第１電流値、あるいは、熱源側送風機にかかる第２電流値および／または利用ユニットにかかる第３電流値を第１電流値に加えて導出した総合電流値の大きさに応じて、電磁誘導加熱ユニットにかかる第４電流値の上限を変更する。
【０００７】
本発明の空気調和装置では、例えば、暖房運転において暖房負荷が大きい場合に、暖房運転を行いつつ電磁誘導加熱ユニットを作動させることにより、暖房能力を補助した状態で暖房運転を行うことができる。そして、本発明の空気調和装置では、総合電流値（第１電流値、第２電流値、および第３電流値の総和）の大きさに応じて、電磁誘導加熱ユニットにかかる電流値である第４電流値の上限を変更する。なお、第１電流値、第２電流値、第３電流値、および第４電流値は、空気調和装置の各機器にかかる電流値のうちで主に大きいものである。
【０００８】
したがって、例えば、本発明の空気調和装置にかかる主な電流値の合計が所定値を超えないように制御することができる。そして、所定値を越えないように空気調和装置にかかる電流値の合計を制限することを、第４電流値の上限を変更することにより行っているため、無駄に電磁誘導加熱ユニットを作動させずに、圧縮機構を優先的に駆動させることができ、効率よく運転を行うことができる。
【０００９】
第２発明に係る空気調和装置は、第１発明に係る空気調和装置であって、第４電流値の上限は、総合電流値と第４電流値の上限との合計値が、所定値未満になるように決定される。
【００１０】
本発明の空気調和装置では、第１電流値、第２電流値、および第３電流値の総和である総合電流値と、第４電流値の上限との合計値が、所定値未満になるように、第４電流値の上限が決定されており、第４電流値は、決定された上限以下の値になるように制御部によって制御される。
【００１１】
したがって、本発明の空気調和装置にかかる主な電流値の合計が所定値を超えないように制御することができる。そして、空気調和装置にかかる電流値の合計を所定値を越えないように制限することを、第４電流値の上限を変更することにより行っているため、無駄に電磁誘導加熱ユニットを作動させずに、圧縮機構を優先的に駆動させることができ、効率よく運転を行うことができる。
【００１２】
第３発明に係る空気調和装置は、第１発明または第２発明に係る空気調和装置であって、制御部は、少なくとも実測された第１電流値に基づいて、総合電流値を導出する。
【００１３】
本発明の空気調和装置では、圧縮機構にかかる電流値である第１電流値に、実測した値を利用している。なお、圧縮機構にかかる電流値（第１電流値）は、空気調和装置の各機器にかかる電流値の中で最大のものであり、空調負荷の増減によって生じるその値の増減が大きくなる。したがって、主に第１電流値の値に応じて、第４電流値の上限を変更することができ、第１電流値を優先的に確保することができる。これにより、圧縮機構の出力を担保することができる。
【００１４】
第４発明に係る空気調和装置は、第１発明から第３発明のいずれかに記載の空気調和装置であって、制御部は、少なくとも実測された第２電流値に基づいて、総合電流値を導出する。
【００１５】
本発明の空気調和装置では、熱源側送風機にかかる電流値である第２電流値に、実測した値を利用している。したがって、第２電流値が増減したことを検出して、その結果、第４電流値の上限を変更することができる。
【００１６】
第５発明に係る空気調和装置は、第１発明から第４発明のいずれかに係る空気調和装置であって、利用ユニットは、複数台ある。制御部は、利用ユニット１台あたりの電流値と利用ユニットの台数とに基づいて、第３電流値を導出する。
【００１７】
本発明の空気調和装置は、利用ユニットを複数台有するマルチ式の空気調和装置であって、利用ユニットにかかる電流値である第３電流値を、利用ユニット１台あたりの電流値と利用ユニットの台数とに基づいて導出する。
【００１８】
したがって、マルチ式の空気調和装置であっても、第３電流値を導出しているため、第４電流値の上限を変更することにより行っているため、無駄に電磁誘導加熱ユニットを作動させずに、圧縮機構を優先的に駆動させることができ、効率よく運転を行うことができる。
【００１９】
第６発明に係る空気調和装置は、第１発明から第５発明のいずれかに係る空気調和装置であって、熱源ユニットは、切換機構をさらに有する。切換機構は、熱源側熱交換器を圧縮機において圧縮される冷媒の凝縮器として、かつ、利用側熱交換器を熱源側熱交換器において凝縮される冷媒の蒸発器として機能させる冷房運転状態と、利用側熱交換器を圧縮機において圧縮される冷媒の凝縮器として、かつ、熱源側熱交換器を熱源側熱交換器において凝縮される冷媒の蒸発器として機能させる暖房運転状態とに、切り換えることができる。電磁誘導加熱ユニットは、切換機構が暖房運転状態の場合に、動作する。
【００２０】
本発明の空気調和装置では、冷凍サイクルが暖房運転として機能している場合に、電磁誘導加熱ユニットを作動させる。
【００２１】
したがって、暖房運転時において、第４電流値の上限を変更することにより、本発明の空気調和装置にかかる主な電流値の合計が所定値を超えないように制御することができる。このため、無駄に電磁誘導加熱ユニットを作動させずに、圧縮機構を優先的に駆動させることができ、効率よく運転を行うことができる。
【００２２】
第７発明に係る空気調和装置は、第１発明から第６発明のいずれかに係る空気調和装置であって、電磁誘導加熱ユニットは、熱源側熱交換器に霜付が発生した場合に行われる、霜付を除去するデフロスト運転中に、動作する。熱源側送風機は、デフロスト運転中に停止する。制御部は、デフロスト運転中に、少なくとも第１電流値を含み、かつ、第２電流値を除外して導出されるデフロスト総合電流値を、総合電流値として導出する。
【００２３】
本発明の空気調和装置では、デフロスト運転を行っている場合に、電磁誘導加熱ユニットを作動させる。そして、少なくとも圧縮機構にかかる電流値（第１電流値）を含む空気調和装置にかかる電流値の総和（デフロスト総合電流値）を、デフロスト運転中に停止している熱源側送風機にかかる電流値（第２電流値）を除外して導出している。すなわち、熱源側送風機にかかる電流値である第２電流値をゼロとして、デフロスト総合電流値を導出しており、このデフロスト総合電流値に基づいて第４電流値の上限を変更している。
【００２４】
したがって、熱源側送風機にかかる電流値の分だけ、第４電流値を確保することができる。このため、デフロスト運転の際に、電磁誘導加熱ユニットを極力作動させることができ、デフロスト運転を速やかに行うことができる。
【００２５】
第８発明に係る空気調和装置は、第７発明に係る空気調和装置であって、制御部は、暖房運転状態において、総合電流値と電磁誘導加熱ユニットの電流値の出力上限とを関連づけた第１マップに基づいて、電磁誘導加熱ユニットの電流値の出力上限を変更する。また、制御部は、デフロスト運転中において、第１総合電流値と電磁誘導加熱ユニットの出力上限とを関連づけた第２マップに基づいて、電磁誘導加熱ユニットの電流値の出力上限を変更する。
【００２６】
本発明では、総合電流値と第４電流値の上限とを関連づけたマップを、暖房運転における第１マップと、デフロスト運転における第２マップとの２種類を有している。したがって、第４電流値の上限制御を、運転状態の違いに応じて行うことができる。このため、運転状態が異なっても、それぞれの運転状態に応じて最適に第４電流値の上限制御を行うことができる。
【発明の効果】
【００２７】
第１発明に係る空気調和装置では、本発明の空気調和装置にかかる主な電流値の合計が所定値を超えないように制御することができる。そして、所定値を越えないように空気調和装置にかかる電流値の合計を制限することを、第４電流値の上限を変更することにより行っているため、無駄に電磁誘導加熱ユニットを作動させずに、圧縮機構を優先的に駆動させることができ、効率よく運転を行うことができる。
【００２８】
第２発明に係る空気調和装置では、本発明の空気調和装置にかかる主な電流値の合計が所定値を超えないように制御することができる。そして、空気調和装置にかかる電流値の合計を所定値を越えないように制限することを、第４電流値の上限を変更することにより行っているため、無駄に電磁誘導加熱ユニットを作動させずに、圧縮機構を優先的に駆動させることができ、効率よく運転を行うことができる。
【００２９】
第３発明に係る空気調和装置では、主に第１電流値の値に応じて、第４電流値の上限を変更することができ、第１電流値を優先的に確保することができる。これにより、圧縮機構の出力を担保することができる。
【００３０】
第４発明に係る空気調和装置では、第２電流値が増減したことを検出して、その結果、第４電流値の上限を変更することができる。
【００３１】
第５発明に係る空気調和装置では、マルチ式の空気調和装置であっても、第３電流値を導出しているため、第４電流値の上限を変更することにより行っているため、無駄に電磁誘導加熱ユニットを作動させずに、圧縮機構を優先的に駆動させることができ、効率よく運転を行うことができる。
【００３２】
第６発明に係る空気調和装置では、暖房運転時において、第４電流値の上限を変更することにより、本発明の空気調和装置にかかる主な電流値の合計が所定値を超えないように制御することができる。このため、無駄に電磁誘導加熱ユニットを作動させずに、圧縮機構を優先的に駆動させることができ、効率よく運転を行うことができる。
【００３３】
第７発明に係る空気調和装置では、熱源側送風機にかかる電流値の分だけ、第４電流値を確保することができる。このため、デフロスト運転の際に、電磁誘導加熱ユニットを極力作動させることができ、デフロスト運転を速やかに行うことができる。
【００３４】
第８発明に係る空気調和装置では、第４電流値の上限制御を、運転状態の違いに応じて行うことができる。このため、運転状態が異なっても、それぞれの運転状態に応じて最適に第４電流値の上限制御を行うことができる。
【図面の簡単な説明】
【００３５】
【図１】本発明の一実施形態に係る冷凍装置を用いた空気調和装置の冷媒回路図。
【図２】正面側から視た室外機の外観斜視図。
【図３】背面側から視た室外機の外観斜視図。
【図４】右側面パネルと背面パネルを取り除いた状態を示す室外機の斜視図。
【図５】底板および機械室のみを残した室外機の平面図。
【図６】電磁誘導加熱ユニットの断面図。
【図７】圧縮機２１にかかる電流値と電磁誘導加熱ユニットにかかる電流値の上限とを関連づけた表。
【図８】圧縮機２１にかかる電流値と電磁誘導加熱ユニットに係る電流値の上限および空気調和装置１にかかる電流値の関係を表すグラフ。
【発明を実施するための形態】
【００３６】
以下図面を参照しながら、本発明の実施形態について説明する。なお、以下の実施形態は、本発明の具体例であって、本発明の技術的範囲を限定するものではない。
【００３７】
＜空気調和装置＞
図１は、本発明の一実施形態に係る冷凍装置を用いた空気調和装置の構成図である。図１において、空気調和装置１では、熱源側ユニットとしての室外機２と、利用側ユニットとしての室内機４とが冷媒配管によって接続され、蒸気圧縮式冷凍サイクルを行う冷媒回路１０が形成されている。
【００３８】
室外機２は、圧縮機２１、四路切換弁２２、室外熱交換器２３、電動膨張弁２４、アキュームレータ２５、室外ファン２６、ホットガスバイパス弁２７、キャピラリーチューブ２８および電磁誘導加熱ユニット６を収容している。室内機４は、室内熱交換器４１および室内ファン４２を収容している。
【００３９】
冷媒回路１０は、吐出管１０ａ、ガス管１０ｂ、液管１０ｃ、室外側液管１０ｄ、室外側ガス管１０ｅ、アキューム管１０ｆ、吸入管１０ｇ、及びホットガスバイパス１０ｈを有している。
【００４０】
吐出管１０ａは、圧縮機２１と四路切換弁２２とを接続している。ガス管１０ｂは、四路切換弁２２と室内熱交換器４１とを接続している。液管１０ｃは、室内熱交換器４１と電動膨張弁２４とを接続している。室外側液管１０ｄは、電動膨張弁２４と室外熱交換器２３とを接続している。室外側ガス管１０ｅは、室外熱交換器２３と四路切換弁２２とを接続している。
【００４１】
アキューム管１０ｆは、四路切換弁２２とアキュームレータ２５とを接続している。電磁誘導加熱ユニット６は、アキューム管１０ｆの一部分に取り付けられている。アキューム管１０ｆのうち、少なくとも電磁誘導加熱ユニット６によって覆われている被加熱部分は、銅管の周囲をステンレス鋼管が覆っている。冷媒回路１０を構成する配管のうち、そのステンレス鋼管以外の部分は銅管である。
【００４２】
吸入管１０ｇは、アキュームレータ２５と圧縮機２１の吸入側とを接続している。ホットガスバイパス１０ｈは、吐出管１０ａの途中に設けられた分岐点Ａ１と室外側液管１０ｄの途中に設けられた分岐点Ｄ１とを接続している。
【００４３】
ホットガスバイパス１０ｈは、途中にホットガスバイバス弁２７が配置されている。制御部１１は、ホットガスバイバス弁２７を開閉して、ホットガスバイパス１０ｈを冷媒の流通を許容する状態と許容しない状態とに切換える。また、ホットガスバイパス弁２７の下流側には、冷媒の流通路の断面積を減じるキャピラリ２８が設けられており、除霜運転時、室外熱交換器２３を流通する冷媒とホットガスバイパス１０ｈを流通する冷媒との割合が一定に保たれている。
【００４４】
四路切換弁２２は、冷房運転サイクルと暖房運転サイクルとを切り替えることができる。図１では、暖房運転を行うための接続状態を実線で示し、冷房運転を行うための接続状態を点線で示している。暖房運転時、室内熱交換器４１は凝縮器として、室外熱交換器２３は蒸発器として機能する。冷房運転時、室外熱交換器２３は凝縮器として、室内熱交換器４１は蒸発器として機能する。
【００４５】
室外熱交換器２３の近傍には、室外熱交換器２３に室外空気を送る室外ファン２６が設けられている。室内熱交換器４１の近傍には、室内熱交換器４１に室内空気を送る室内ファン４２が設けられている。
【００４６】
制御部１１は、室外制御部１１ａと室内制御部１１ｂとを有している。室外制御部１１ａと室内制御部１１ｂとは通信線１１ａによって接続されている。そして、室外制御部１１ａは室外機２内に配置される機器を制御し、室内制御部１１ｂは室内機４内に配置されている機器を制御する。
【００４７】
また、室外機２は、圧縮機２１にかかる電流を検出する圧縮機電流検出装置２９と、室外ファン２６にかかる電流を検出する室外ファン電流検出装置３０と、後述する電磁誘導加熱ユニット６にかかる電流を検出する加熱ユニット電流検出装置３１とを有する。そして、室内機４は、室内機４にかかる電流を検出する室内機電流検出装置４３を有する。室内機電流検出装置４３により検出された電流データは、室内制御部１１ｂから通信線１１ａを介して室外制御部１１ａに伝送される。そして、室外制御部１１ａが、それぞれの電流検出装置２９〜３１，４３により検出された電流データに基づいて、後述する電流制限制御を行っている。
【００４８】
（室外機の外観）
図２は正面側から視た室外機の外観斜視図であり、図３は背面側から視た室外機２の外観斜視図である。図２及び図３において、室外機２の外殻は、天板２ａ、底板２ｂ、フロントパネル２ｃ、左側面パネル２ｄ、右側面パネル２ｆおよび背面パネル２ｅによって略直方体形状に形成されている。
【００４９】
（室外機の内部）
図４は、右側面パネルと背面パネルを取り除いた状態を示す室外機２の斜視図である。図４において、室外機２は、仕切り板２ｈによって送風機室と機械室とに区分されている。送風機室には室外熱交換器２３及び室外ファン２６（図１参照）が配置され、機械室には電磁誘導加熱ユニット６、圧縮機２１、及びアキュームレータ２５が配置されている。
【００５０】
（室外機の底板近傍の構造）
図５は、底板および機械室のみを残した室外機２の平面図である。なお、図５には、室外熱交換器２３の位置が分かるように室内熱交換器２３が２点鎖線で描かれている。ホットガスバイパス１０ｈは底板２ｂ上に配置されており、圧縮機２１が位置する機械室側から送風機室側に延び、送風機室側を一周して機械室側に戻る。ホットガスバイパス１０ｈの全長の約半分は、室外熱交換器２３の下方にある。また、底板２ｂのうちの室外熱交換器２３の下方に位置する部分には、底部２ｂを板厚方向に貫通する排水口８６ａ〜８６ｅが形成されている。
【００５１】
（電磁誘導加熱ユニット）
図６は、電磁誘導加熱ユニットの断面図である。図６において、電磁誘導加熱ユニット６は、アキューム管１０ｆのうち被加熱部分を径方向外側から覆うように配置されており、電磁誘導加熱によって被加熱部分を加熱する。アキューム管１０ｆの被加熱部分は、内側の銅管と外側のステンレス鋼管１００ｆとによって二重管構造となっている。ステンレス鋼管１００ｆに使用されるステンレス材料は、クロムを１６〜１８％含むフェライト系ステンレス、或はニッケルを３〜５％、クロムを１５〜１７．５％、銅を３〜５％含む析出硬化系ステンレスが選択される。
【００５２】
電磁誘導加熱ユニット６は、先ずアキューム管１０ｆに位置決めされ、次に上端近傍が第１六角ナット６１によって固定され、最後に下端近傍が第２六角ナット６６によって固定される。
【００５３】
コイル６８は、ボビン本体６５の外側においてアキューム管１０ｆの延びる方向を軸方向として螺旋状に巻き付けられている。コイル６８は、フェライトケース７１の内側に収容されている。フェライトケース７１は、第１フェライト部９８及び第２フェライト部９９をさらに収容している。
【００５４】
第１フェライト部９８は、透磁率の高いフェライトによって成形されており、コイル６８に電流を流した際に、ステンレス鋼管１００ｆ以外の部分にも生じる磁束を集めて磁束の通り道を形成する。第１フェライト部９８は、フェライトケース７１の両端側に位置する。
【００５５】
第２フェライト部９９についても、配置位置および形状は第１フェライト部９８と異なるが、機能は第１フェライト部９８と同様であり、フェライトケース７１の収容部のうちボビン本体６５の外側近傍の位置に配置される。
【００５６】
＜空気調和装置の動作＞
空気調和装置１では、四路切換弁２２によって、冷房運転および暖房運転のいずれか一方に切り換えることが可能である。
【００５７】
（冷房運転）
冷房運転では、四路切換弁２２が、図１の点線で示された状態に設定される。この状態で圧縮機２１が運転されたとき、冷媒回路１０では、室外熱交換器２３が凝縮器となり、室内熱交換器４１が蒸発器となる蒸気圧縮冷凍サイクルが行われる。
【００５８】
圧縮機２１から吐出された高圧の冷媒は、室外熱交換器２３で室外空気と熱交換して凝縮する。室外熱交換器２３を通過した冷媒は、膨張弁２４を通過する際に減圧され、その後に室内熱交換器４１で室内空気と熱交換して蒸発する。そして、冷媒との熱交換によって温度低下した室内空気は、空調対象空間に吹き出される。室内熱交換器４１を通過した冷媒は、圧縮機１１へ吸入されて圧縮される。
【００５９】
（暖房運転）
暖房運転では、四路切換弁２２が、図１の実線で示された状態に設定される。この状態で圧縮機２１が運転されたとき、冷媒回路１０では、室外熱交換器２３が蒸発器となり、室内熱交換器４１が凝縮器となる蒸気圧縮冷凍サイクルが行われる。
【００６０】
圧縮機２１から吐出された高圧の冷媒は、室内熱交換器４１で室内空気と熱交換して凝縮する。そして、冷媒との熱交換によって温度上昇した室内空気は、空調対象空間に吹き出される。凝縮した冷媒は、膨張弁２４を通過する際に減圧された後、室外熱交換器２３で室外空気と熱交換して蒸発する。室外熱交換器２３を通過した冷媒は、圧縮機１１へ吸入されて圧縮される。
【００６１】
暖房運転の起動時、特に、圧縮機２１が十分に暖まっていないとき、電磁誘導加熱ユニット６が冷媒を加熱することによって起動時の能力不足を補うことができる。
【００６２】
（除霜運転）
外気温が−５℃〜５℃のときに、暖房運転がおこなわれたとき、空気中に含まれる水分が室外熱交換器２３の表面で結露し、霜となり或は氷結して室外熱交換器の表面を覆い、熱交換性能が低下させる。室外熱交換器２３に付着した霜、或は氷を融かすために除霜運転が行われる。除霜運転は、冷房運転と同じサイクルで行われる。
【００６３】
圧縮機２１から吐出された高圧の冷媒は、室外熱交換器２３で室外空気と熱交換して凝縮する。その冷媒からの放熱によって、室外熱交換器２３を覆う霜、或は氷が融かされる。凝縮した冷媒は、膨張弁２４を通過する際に減圧され、その後に室内熱交換器４１で室内空気と熱交換して蒸発する。このとき、室内ファン４２は停止している。なぜなら、室内ファン４２が稼動すると、空調対象空間に冷やされた空気が吹き出されて快適性を損なうからである。そして、室内熱交換器４１を通過した冷媒は、圧縮機１１へ吸入されて圧縮される。
【００６４】
また、除霜運転時、電磁誘導加熱ユニット６がアキューム管１０ｆを加熱することによって、圧縮機２１は暖められた冷媒を圧縮することができる。その結果、圧縮機２１から吐出するガス冷媒の温度が上昇し、霜を融かすために必要な時間が短縮する。さらに、除霜運転から暖房運転への復帰が早まる。
【００６５】
また、除霜運転時、ホットガスバイパス１０ｈにも圧縮機２１から吐出された高圧の冷媒が流される。室外機２の底板２ｂ上に氷が成長している場合でも、その氷はホットガスバイパス１０ｈを通る冷媒からの放熱によって融かされる。そのとき発生した水は、排水口８６ａ〜８６ｅから排水される。また、排水口８６ａ〜８６ｅもホットガスバイパス１０ｈによって加熱されるので、排水口８６ａ〜８６ｅが凍結によって塞がれることは防止される。
【００６６】
（電磁誘導加熱ユニットの電流制限制御）
空気調和装置１では、電磁誘導加熱ユニット６の電流値の上限を制限する電流制限制御が行われている。上述したように、暖房運転の起動時および除霜運転において、電磁誘導加熱ユニット６による冷媒の加熱が行われる。そして、この電磁誘導加熱ユニット６による加熱は、電流制限制御により導出される電磁誘導加熱ユニット６の電流値の上限以下になるように行われることになる。図７に基づいて、電磁誘導加熱ユニット６の電流制限制御について説明する。なお、図７は、圧縮機２１にかかる電流値と電磁誘導加熱ユニットにかかる電流値の上限とを関連づけた表である。
【００６７】
電流制限制御では、圧縮機２１にかかる電流値（第１電流値）と、室外ファン２６にかかる電流値（第２電流値）と、室内ユニットにかかる電流値（第３電流値）と、電磁誘導加熱ユニット６にかかる電流値（第４電流値）との総和（総合電流値）が３０Ａ未満になるように、第４電流値の上限を制限している。なお、第１電流値は、圧縮機２１にかかる電流値（実測値）に、その電流値のデータの伝送遅れと実測された値の検出バラツキとのマージンを含めた値であり、実測値に１．１５を乗じて導出される。また、第２電流値は、０．６７Ａの固定値が設定されている。この第２電流値に割り当てられる固定値は、機種によって異なり０．６７Ａに限定するものではない。また、第３電流値は、１．７Ａにその電流値の伝送遅れ（マージン）を含めた固定値であり、１．７Ａに１．２５（マージン）を乗じた２．１３Ａである。また、電磁誘導加熱ユニット６は、１００％の電流の出力値が５．９Ａであり、第４電流値は、その上限値を１００％、９０％、８０％、７０％、６０％、５０％、および０％に制限される。
【００６８】
上述のように、第４電流値の上限を制限すると、本実施形態では第１電流値の増減に併せて第４電流値の上限を制限することになる。具体的には、図７のように、圧縮機２１にかかる電流値が１７．４Ａ未満の場合に電磁誘導加熱ユニット６にかかる電流値の上限が５．９Ａの１００％に、圧縮機２１にかかる電流値が１７．４Ａ以上１８Ａ未満の場合に電磁誘導加熱ユニット６にかかる電流値の上限が９０％に、圧縮機２１にかかる電流値が１８Ａ以上１８．５Ａ未満の場合に電磁誘導加熱ユニット６にかかる電流値の上限が８０％に、圧縮機２１にかかる電流値が１８．５Ａ以上１９Ａ未満の場合に電磁誘導加熱ユニット６にかかる電流値の上限が７０％に、圧縮機２１にかかる電流値が１９Ａ以上１９．５Ａ未満の場合に電磁誘導加熱ユニット６にかかる電流値の上限が６０％に、圧縮機２１にかかる電流値が１９．５Ａ以上２０．５Ａ未満の場合に電磁誘導加熱ユニット６にかかる電流値の上限が５０％に制限されることになる。なお、このときの、圧縮機２１にかかる電流値と電磁誘導加熱ユニットに係る電流値の上限および空気調和装置１にかかる電流値の関係を表すグラフが図８である。このように、空気調和装置１では、圧縮機２１かかる電流値が増加すると、電磁誘導加熱ユニット６にかかる電流値の上限を減少させている。このため、圧縮機２１に対する負荷が大きい場合になると、電磁誘導加熱ユニット６にかかる電流値の上限を抑えることになり、圧縮機２１の能力を低減させずに運転を行うことができる。
【００６９】
＜特徴＞
本発明の空気調和装置では、第１電流値、第２電流値、および第３電流値の総和である総合電流値と、第４電流値の上限との合計値が、３０Ａ未満になるように、第４電流値の上限が決定されており、第４電流値は、決定された上限以下の値になるように制御部によって制御される。また、空気調和装置１では、圧縮機２１かかる電流値が増加すると、電磁誘導加熱ユニット６にかかる電流値の上限を減少させている。
【００７０】
このため、圧縮機２１に対する負荷が大きい場合になると、電磁誘導加熱ユニット６にかかる電流値の上限を抑えることになり、無駄に電磁誘導加熱ユニット６を作動させることを防ぐことができ、また、圧縮機２１の能力を低減させることを極力少なくすることができる。このため、電磁誘導加熱ユニット６を作動させる運転であって、空気調和装置１にかかる電流値の総和が３０Ａを超えそうになると、電磁誘導加熱ユニット６の出力を優先的に低下させることができ、圧縮機２１を優先的に駆動させることができる。これにより、効率よく運転を行うことができる。
【００７１】
＜変形例＞
（１）
上記実施形態に係る空気調和装置１では、熱源ユニットとしての室外機２が１台に対して利用ユニットとしての室内機４が１台のペア式の空気調和装置１であるが、ペア式に限らずに、利用ユニットとしての室内機が複数台のマルチ式の空気調和装置であっても良い。なお、この場合には、複数台の室内機にかかる電流値である第３電流値を、室内機１台あたりの電流値と利用ユニットの台数とを乗じることにより導出することになる。
【００７２】
（２）
上記実施形態に係る空気調和装置１では、暖房運転時においてもデフロスト運転時においても、電流制限制御を行うのに同様の条件で行っているが、これに限らない。例えば、デフロスト運転時においては、暖房運転時とは異なり、室外ファン２６を停止させるため、総合電流値を室外ファン２６にかかる電流値（第２電流値）をゼロとして導出しても良い。その上で、デフロスト運転時の総合電流値が３０Ａを超えないように電磁誘導加熱ユニット６にかかる電流値の上限値の導出を行っても良い。また、暖房運転時とデフロスト運転時とに分けて、電流制限制御にかかる第１電流値と第４電流値の上限とを関連づけた２種類のマップをそれぞれ有するようにしても良い。
【００７３】
したがって、熱源側送風機にかかる電流値の分だけ、第４電流値を確保することができる。このため、デフロスト運転の際に、電磁誘導加熱ユニットを極力作動させることができ、デフロスト運転を速やかに行うことができる。
【００７４】
（３）
上記実施形態に係る空気調和装置１では、室外ファン２６にかかる電流値である第２電流値として固定値が設定されているが、これに限らずに実測値でも構わない。また、同様に、室内機にかかる電流値である第３電流値にも固定値が設定されているが、これに限らずに実測値でも構わない。
【産業上の利用可能性】
【００７５】
本発明によれば、寒冷地向け空気調和装置に有用である。
【符号の説明】
【００７６】
１          空気調和装置
２          室外機（熱源ユニット）
４          室内機（利用ユニット）
６          電磁誘導加熱ユニット
１１        制御部
２１        圧縮機（圧縮機構）
２２        四路切換弁（切換機構）
２３        室外熱交換器（熱源側熱交換器）
２６        室外ファン（熱源側送風機）
４１        室内熱交換器（利用側熱交換器）
１０Ｆ      アキューム管（冷媒配管）
【先行技術文献】
【特許文献】
【００７７】
【特許文献１】特開２０００−９７５１０号公報
【図１】
2010223454.tif 000003
【図２】
2010223454.tif 000004
【図３】
2010223454.tif 000005
【図４】
2010223454.tif 000006
【図５】
2010223454.tif 000007
【図６】
2010223454.tif 000008
【図７】
2010223454.tif 000009
【図８】
2010223454.tif 000010